(57)【要約】      （修正有）【課題】水や養分を出来るだけ少量で栽培するために長尺折半の栽培容器を鋼鈑で畝を造り、荒地や砂漠でも穀物、野菜、花なども作物を本発明の植物栽培用容器に於いて栽培して、農薬、除草剤、化学肥料など殆どなくして有機土壌栽培も出来ることを提供する。【解決手段】水や養分が地面に吸収されない様に長尺折半の栽培容器１を防食性の鋼鈑で台形の形状の本発明の植物栽培用容器の山と山の間の溝に肥料が混ざった土壌を入れ、上部には断熱と水分を調節するために発泡スチロールなどで蓋２をする。散水は穴があいた潅水ホース３を埋め込み、その都度給水して農作物を栽培する。【選択図】図１
2010148420.tif 000002
【特許請求の範囲】
【請求項１】
容器の本体は金属で防錆処理した素材を成型され、形状は下側を狭く上に広い台形で上部には折り曲げてツバを有し両端には内容物が漏れないように蓋を備えた植物栽培用容器。
【請求項２】
上記の栽培用容器の下側を狭く上に広い台形の形状で並べてツバとツバを接続して複数固定した請求項１記載の植物栽培用容器。
【請求項３】
前記の請求項１、２記載の栽培用容器の形状で塩化ビニールや合成樹脂の素材によって製作された請求項１又は２のいずれかに記載の植物栽培用容器。      
【請求項４】
前記の請求項１、２、３記載の栽培用容器に使用するために上部に栽培穴を開けた発泡スチールや合成樹脂で断熱や遮光のためにフタを持った請求項１ないし３のいずれかに記載の植物栽培用容器。
【請求項５】
前記の請求項１、２、３、４記載の栽培容器で水耕栽培を目的に使用した請求項１ないし４のいずれかに記載の植物栽培用容器。
【発明の詳細な説明】
【技術分野】
【０００１】
本発明の形状は、台形しているのは、作物一回ごと土壌を取替るために土壌を搬出が容易するため、折半加工にすると強度が増し製作が容易なるため、安価で長い容器が出来ることを特長とするものである。          
【背景技術】
【０００２】
本発明は、図８の平面図は不毛の地において、ただ緑化にするのではなく作物を当発明の植物用容器で使用して大量に収穫する重点に開発され栽培システムです。この発明の使用時には全長２００ｍ規模としている。図１は２山で一組の容器でそれを２本連結して使用する。給水は配管と潅水ホースによって散水する。 
【０００３】
【特許文献１】特公  ２００６−９４８４４
【特許文献２】特公  ２００６−１９７８４３
【０００４】
特許文献１との発明は栽培容器を移動させて栽培また収穫等している立体構造でのシステムの技術で栽培しているが当発明は長い折半型の形です。                          特許文献２においては建材の雨樋を使用しているが当発明は屋根型の折半をする。  
【発明の開示】
【発明が解決しようとする課題】
【０００５】
雨が降らない砂漠や養分ない荒地に於いても米や麦、大豆、トウモロコシなど穀物や野菜を栽培し農業を可能し地球温暖化にも寄与して、その地域の人々と食料難も解決する。水をいくら撒いても地中に滲み込み、地表熱５５℃の灼熱の大地、ほとんど毎日晴れて年間雨量０．７ｍｍそんな地でこの植物栽培用容器とシステムで解決をする。      
【課題を解決するための手段】
【０００６】
請求項目１の形状の台形することによって強度が増し、土壌が排出する時に簡単に土を排出できる。容器の容量が多く取れるため土壌栽培が可能になる。台形にすることにより全体の反りを少なく出来る、反りは水田にする時に水を使用するので水平が重要である。この植物栽培用容器は、折半の方法で栽培容器を製作すれば安く出来る。鋼板製であるのでコイル材で現地にて製作することが可能であり、コイルの長さを幾らでも長尺で出来るのが特徴であるし、しかも鋼板なので強度が非常に強く更にツバを折り曲げることにより横方向の力に強くなる。                             
【０００７】
この植物栽培用容器の両端には土壌が洩れないように蓋をする、それをビスで留めコーキングで水漏れも防ぐ、水田や水耕栽培に利用する時には特に水漏れはできない。水の下手側の蓋には畑のときは下側に排水の口をもうける、水田の場合には上部に隙間をもうけて排水させる。    
【０００８】
請求項目２のツバの折曲がりは上部の強度増し容器を４台一組に接合する時にビスで留めかハゼ折接合する時に必要である。この容器は１台では倒れるので必ず２台以上連結して製作する必要がある。４台を一組として接合してその間に作物の作業通路を作る。           
【０００９】
本発明の植物栽培用容器の本体は鋼板製に亜鉛メッキで表面処理された材料にさび止め塗装して仕上げ塗装施した栽培容器、防水樹脂コーテングや防食や断熱のために塗装で施したものをその作物や使用場所の状態に合わせて植物栽培用容器を使用する。
【００１０】
請求項目３は、本発明の植物栽培用容器の本体が塩ビ製やプラスチック製など腐食に強い樹脂などで使用すると長持ちになる。値段が安く出来また強度があれば使用できるが太陽の紫外線で脆くなるので考慮する必要がある。                                    
【００１１】
請求項目４は、本体の上部には雑草を防ぎ、太陽光から熱から断熱と水分の蒸発防ぎ土壌の水分を調節するために安価な発泡スチロールで上部に蓋をして作物が出るように始めから作物の種類に合わせて穴を開けたものであり、この発泡スチロールが風に飛ばない様に本体とビス止めをする。    
【００１２】
請求項目５は、この発明は土壌栽培を目的に開発されてものであるが土壌の変わりにロックウールにすれば水耕栽培が可能になる。
【００１３】
最大の問題点、砂漠で水をどうするか、特別な地域を除いて地下水は必ずある、近くにオワシスがあればその地下に流れている。川があればその付近の地中にも地下水脈が流れている大量に使用しなければ十分である。井戸を掘り自噴がない所は水中ポンプによって給水させる。ポンプの動力は太陽発電にて日中のみ稼動する。                        
【００１４】
乾燥地帯に散水して農業すると危険である、それは必ず塩害になる。水分の蒸発で水の中の塩分と化学肥料の塩基が土壌の表面に蓄積される、それは雨の降らない所では雨で塩分が流れない。この植物栽培用容器では上部に蓋をするので土壌の乾燥を防ぐ、そして一作ごと土を取り替えるため塩害も防げる。また蓋は影をつくるので土の温度上昇も防ぐ役目もする。
【発明の効果】
【００１５】
本発明の植物栽培用容器を架台で上げ栽培が出来るので、ビニールハウス内で使用すれば作業者の位置が高くなり作業が楽になる、潅水ホースで水と養分を補充すれば植物管理できるので品質の良いものが出来る。                                              
【００１６】
栽培用土で栽培するので土壌が悪い土地、痩せた土地などの荒地でもコンクリート上でもこの容器栽培可能である、土壌の調合とシステムを変えれば水田や畑地にも可能であり、毎回植付けごとに土を入れ替えることにより連作障害が少なくなる、外部で有機肥料を混合させるので均一の土壌になり、品質よい作物がこの植 物栽培用容器で収穫できる。                                                                            
【００１７】
最大の効果を果たすのは砂漠地帯に於いて作物が育つことであり、それは地面に水が滲みこまない構造物であること、養分は栽培用土で栽培するのでその地域の土の養分は関係はない、潅水ホースによって最小限の水で土壌を潤し穀 物や野菜などが栽培出来ることである。
【発明を実施するための最良の形態】
【００１８】
本発明の栽培容器のつなぎとフタの接続はビスで止め、水漏れはパテで処理する。 屋外で使用するとき本発明の植物栽培用容器を地面に直接設置する。
【００１９】
本発明の栽培容器はビニールハウスにて使用も適しおり、ハウス内では昆虫の防御にもなるから農薬も不要になる。そして有機培養土を使用すれば化学肥料も不要になり、完全な有機野菜なども採れる。雑草も殆ど生えないため除草剤も不要である。              
【００２０】
不毛の砂漠に使用する時、この栽培容器を地面に平らに掘り下げて、少し流れ勾配をつけて設置して。上部には断熱を兼ねて発泡スチロール等で蓋をして水の蒸発を防ぎ、土壌の温度も上がらないようにする。井戸水で作物など成長する少量の水で栽培が可能にする。
【実施例】
【００２１】
図１は、植物栽培用容器の畑作した場合の斜視図１である。１は、 植物栽培用容器の本体で折半加工した山型の形状で上部には強度のためと接続ために折り返のツバがある。２は、断熱と乾燥防ぐための蓋、発泡スチロール等で出来ている、本体とボルトで飛散防止をしている。３は、灌漑用のホースで作物の給水用で市販の点滴型の潅水ホースを使用する、植物の成長に合わせて水量調節をする。４は、有機培養土で土や砂なども混合して作物に合わせて土の水分や栄養素を混合したもの。５は、細かい砂で土の水分を乾燥から守る、稲作の時は水路になる。６は、下部の排水路で余分な水分を流し根腐れなど防止する、大切な水を再利用する為。７は、配管で農業用水または井戸水１５等から給水される。８は、バルブで必要時のみ給水する。配管は地中に埋め、外になる所は断熱する。９は、作物で穀物や野菜ある。１０は、両端の側フタで、土や水が外に流れないようにして、下流には水抜き開口を設ける。２３は、地面で段差を表わし、この容器は地表より底面を低く掘り下げ、少し流れ勾配に設置する。側のフタ１０を取り付けビス１１で取り付け、防水パテ２４で隙間からの水もれを防水する。  
【００２２】
本発明を砂漠において実施した場合の系統図９で示し、１５は、井戸で水脈より井戸用水中ポンプ２０によって水源が運ばれる、遠距離にある農園まで１２のラインポンプで貯水槽１３に貯水され、水槽のレベルは１７のレベル計によって２０井戸用水中ポンプに信号送り自動運転させる。配管７によって各所の本発明の植物栽培用容器１に運ばれる。必要量の水を調整するために自動弁１４で植物の成長に合し、潅水ホース３によって散水させる。余った水は容器の底面に沿って流れ、１９の排水ピットに集められ排水ポンプ１９によって配管通して、１３の貯水槽へ戻される。ポンプの動力は太陽２２のエネルギーによって太陽電池２１で電気にされ、インバター１６によって交流に変換され供給される。
【産業上の利用可能性】
【００２３】
砂と岩しかない荒地や砂漠で植物を栽培できれば、空気中の炭酸ガス減少に寄与でき、緑になり気温も下がり、地球温暖防止にも寄与する。本発明の植物栽培用容器は農作物も収穫でき、水が多くあれば稲作も可能である。塩分がある場所や作物が育たない地でもまた度々起こる旱魃の危機にも有効である。    
【００２４】
国内において、有機肥料で土壌栽培方式にして、ビニールハウス内で本発明の植物栽培用容器で栽培すれば化学物質の農薬、肥料、除草剤も必要がないので美味しい自然な野菜などが取れ、アトピーやアレルギーなど健康を害するも少ない安全な食材が収穫できる。土壌の変わりにロックウールすれば栽培管理のＮＦＴ方式の水耕栽培も可能である。
【図面の簡単な説明】
【００２５】
【図１】本発明に係る植物栽培用容器の使用したときの断面も描いた本体の斜視 図 。
【図２】本発明の植物栽培用容器で途中のカットした斜視 図 と出口の側のフタところの断面図。
【図３】図２のＢの詳細で本体とフタの接続のところ拡大した図面。
【図４】図２のＣの詳細で本体容器と本体容器と合体接続のところ拡大した図面。
【図５】植物栽培用容器の折半曲げたツバとツバの突合せ方式で曲げた容器を２セット接合した場合の断面した図面。
【図６】図５のＤの折半曲げたツバしたところ形状の詳細拡大した図。
【図７】図５のＥの詳細で本体容器と本体容器と接続のところ拡大した図。
【図８】本発明の一例を示した場合のシステム全体図であり栽培容器の大きさを現すために一部カットした図面で断面も表示した平面図。
【図９】本発明の一例を使用した場合のシステムの系統図。
【符号の説明】
【００２６】
１・栽培容器の本体
２・蓋
３・潅水ホース
４・土壌
５・砂及び水路
６・排水路
７・給水配管
８・バルブ
９・作物
１０・ 側のフタ
１１・ 取り付けビス
１２・ ラインポンプ
１３・ 貯水槽   
１４・ 自動弁
１５・ 井戸
１６・ インバター（直流、交流変換用）
１７・ レベル計
１８・ 排水ポンプ
１９・ 排水ピット                                                              ２０・ 水中ポンプ                                                              ２１・ 太陽電池
２２・ 太陽                                                                    ２３・ 地面                                                                    ２４・ 防水パ
【図１】
2010148420.tif 000003
【図２】
2010148420.tif 000004
【図３】
2010148420.tif 000005
【図４】
2010148420.tif 000006
【図５】
2010148420.tif 000007
【図６】
2010148420.tif 000008
【図７】
2010148420.tif 000009
【図８】
2010148420.tif 000010
【図９】
2010148420.tif 000011